(57)【要約】【課題】二段掛プーリの手前プーリに巻き掛けられたベルトを奥側プーリにシフトさせる作業を容易にし、且つシフトさせる際に、ベルト裏面に対するベルト取付治具側からの突き上げ力を抑えることができるベルト取付治具を提供する。【解決手段】ベルト取付治具９は、手前プーリ２１の外周面に沿う形状をした本体部９１と、手前プーリ２１の外周面と手前プーリ２１に巻き掛けられたＶリブドベルト５の裏面との間に入り込むベルトすくい受け面９２と、本体部９１において奥側プーリ２２の外周面よりも外側の高さ位置に設けられ、ベルトすくい受け面９２から導入されるＶリブドベルト５の裏面と線接触するベルト支持部９３と、手前プーリ２１と奥側プーリ２２とに跨る位置に、ベルト支持部９３から奥側プーリ２２の外周面に向けて傾斜して設けられ、ベルト支持部９３からスライドされるＶリブドベルト５の裏面と線接触するベルト案内部９４とを備えている。【選択図】図２
2020197301.tif 000002
【特許請求の範囲】
【請求項１】
少なくとも手前プーリ及び奥側プーリを含む複数のプーリが当該プーリの中心軸方向に並設された複数段掛プーリと、基軸プーリとの間に、周長方向に伸縮可能なベルトを巻掛けるに際し、前記基軸プーリと前記手前プーリとの間に巻掛けられた前記ベルトを前記手前プーリから前記奥側プーリにシフトさせるために使用するベルト取付治具であって、
前記手前プーリの外周面に沿う形状をした本体部と、
前記本体部に設けられ、前記手前プーリの外周面と前記手前プーリに巻き掛けられた前記ベルトの裏面との間に入り込む、ベルトすくい受け面と、
前記本体部を前記手前プーリの外周面に沿わせた状態で、前記本体部において、前記奥側プーリの外周面よりも外側の高さ位置に設けられ、前記ベルトすくい受け面から導入される前記ベルトの裏面と線接触する、ベルト支持部と、
前記本体部を前記手前プーリの外周面に沿わせた状態で、前記手前プーリと前記奥側プーリとに跨る位置に、前記ベルト支持部から前記奥側プーリの外周面に向けて傾斜して設けられ、前記ベルト支持部からスライドされる前記ベルトの裏面と線接触する、ベルト案内部と、を備えていることを特徴とするベルト取付治具。
【請求項２】
前記ベルトすくい受け面は、
前記本体部を前記手前プーリの外周面に沿わせた状態で、前記手前プーリの外周面と前記手前プーリに巻き掛けられた前記ベルトの裏面との間に入り込む方向に、テーパ形状をしていることを特徴とする、請求項１に記載のベルト取付治具。
【請求項３】
前記ベルト案内部は、内周面側に、前記奥側プーリの外周面と前記ベルト案内部の内周面とを係止する第１係止部が設けられていることを特徴とする、請求項１又は２に記載のベルト取付治具。
【請求項４】
前記本体部は、内周面側に、前記手前プーリの外周面と前記本体部の内周面とを係止する第２係止部が設けられていることを特徴とする、請求項１〜３の何れかに記載のベルト取付治具。
【請求項５】
前記本体部を前記手前プーリの外周面に沿わせた状態で、前記ベルトすくい受け面より前記奥側プーリ側の、前記奥側プーリの外周面上に、前記ベルトすくい受け面からスライドされる前記ベルトの裏面と接触する、ベルト整調部が設けられており、
前記ベルト整調部は、前記ベルト案内部よりも前記奥側プーリ側に張り出していることを特徴とする、請求項１〜４の何れかに記載のベルト取付治具。
【発明の詳細な説明】
【技術分野】
【０００１】
本発明は、複数のプーリ間にベルトを巻き掛ける際に使用するベルト取付治具に関するものである。
【背景技術】
【０００２】
一般に、複数のプーリ間にベルトを巻き掛けてなるベルト伝動機構では、プーリ間で確実に動力を伝達させるために、装着対象であるプーリ間のレイアウト周長よりもベルト周長を短くして、ベルトに強い張力がかかるような仕様になっている。
【０００３】
このようなベルト伝動機構において、プーリの軸心位置を調整可能なテンションプーリ等を用いないレイアウトでは、互いの軸間距離がすべて固定された状態の複数のプーリ間に、複数のプーリ間のレイアウト周長よりも短い周長のベルトを取り付ける作業は、ベルトの張力に抗する力が必要となり手間がかかることがある。このような手間は、複数のプーリが軸方向に並設された複数段掛プーリや大小径が組み合わされたプーリの奥側が大径なプーリ（図１（ａ）、図４参照）にベルトを巻掛ける際に一層顕著となる。
【０００４】
このような複数のプーリが軸方向に並設された複数段掛プーリ等において、手前プーリに巻き掛けたベルトを奥側プーリにシフトさせるために使用するベルト取付治具が、特許文献１、特許文献２、および特許文献３に記載されている。
【０００５】
特許文献１には、一旦、ベルトを二段掛プーリである、第一プーリの手前プーリに掛巻してベルトを手前に位置させ、この状態で第二プーリにベルト取付治具の係止部でプーリフランジを挟んで係止し、ベルトを手前の側面に引っ掛けることなく取り付ける。その後、ベルト取付治具を第一プーリに装着し直して、手前プーリに掛巻したベルトを奥側プーリにシフトさせて、二段掛けプーリの奥側プーリにベルトを取り付けている。このようにして、二段掛プーリの手前プーリの側面とベルトとの引っ掛かりを防止しつつ容易にベルトを取り付け可能としている。
【０００６】
特許文献２においては、ベルト取付治具の底部にて、ベルト取付治具を手前プーリの溝に嵌め、案内面でベルトを持ち上げて奥側プーリにシフトするが、その際にベルトが手前に外れるのを防止するための外れ止めが設けられていることを特徴としている。
【０００７】
特許文献３においては、手前プーリの外周面に設置される本体部と、本体部よりもプーリ半径方向の外側に配置され、プーリ半径方向において奥側プーリの外周面よりも外側に位置する持ち上げ面を有するベルト接触部と、手前プーリと奥側とに跨るようにベルト接触部からプーリ軸方向の前記奥側に向かうにつれてプーリ半径方向の内側へ傾斜したガイド面を有するガイド部と、を備えることを特徴とするベルト取付治具が開示されている。
【先行技術文献】
【特許文献】
【０００８】
【特許文献１】特許第４９８８６１９号公報
【特許文献２】特許第５０９０９６１号公報
【特許文献３】特開２０１７−２２３３１０号公報
【発明の概要】
【発明が解決しようとする課題】
【０００９】
特許文献１および特許文献２に記載のベルト取付治具では、案内面はいずれも治具本体のプーリ回転方向前端部が前端側ほど薄くテーパ状に形成することで、手前側プーリに掛けたベルトを滑らかに乗り上げさせて奥側プーリのプーリ溝に案内する機能を伴わせている。
【００１０】
しかしながら、プーリを更に回転方向に回転させていった場合に、ベルト取付治具がベルトとプーリ間に食い込んでいくに従い、テーパ部のプーリ回転方向後端部から後方に渡って、手前プーリと奥側プーリの境界にあるフランジ部の外径よりも外側に位置する部分が複数個所（特許文献１では、案内面〔図符号８〕と突出部〔図符号７〕の２箇所）、あるいは連続して形成されている箇所（特許文献２では、外れ止め〔図符号６〕の頂部〔図符号６ａ〕を形成する円弧状稜線）が存在することにより、ベルトが手前プーリから奥側プーリに移動する過程で、ベルト裏面部はベルト取付治具からの過度な突き上げ力を受けることとなり、ベルトに永久歪を発生させてしまう虞がある。
【００１１】
また、特許文献１および特許文献２に記載のベルト取付治具では、案内面はいずれも手前プーリ側にしか形成されておらず、奥側プーリにおいては、ベルトを積極的に案内するものが設置されていない。このため、場合によっては、奥側プーリに確実にベルトをシフトさせることができない虞がある。
【００１２】
また、特許文献３に記載のベルト取付治具では、ガイド面が手前プーリ側と奥側プーリを跨ぐように形成されているために、ベルトを手前プーリ側から奥側プーリ側へ移動させる際に、手前プーリと奥側プーリの境界にあるフランジ部の上方を確実に通過して奥側プーリの溝内へ移動を完了することが可能となる。
【００１３】
しかしながら、ベルト取付治具の持ち上げ面〔図符号１５〕へとつながっていくベルト接触部〔図符号１２〕は、プーリ回転方向前端部が（テーパにはなっておらず）奥側プーリの外周面よりも外側に位置しているために、ベルト取付作業を行なった際には、手前プーリに掛けたベルトとプーリの間に、ベルト取付治具が入り込んだ際に、ベルト裏面部はベルト取付治具からの過度な突き上げ力を受けることとなり、ベルトに永久歪を発生させてしまうと同時に、ベルト取付治具の取り付け方によってはベルトが手前プーリ側から奥側プーリへ移動中に、ベルト取付治具がプーリから浮き上がったり、最悪の場合、ベルト取付治具がプーリから外れたりする虞がある。
【００１４】
このように、二段掛プーリの奥側プーリにベルトを巻掛ける場合には、一旦、手前側プーリに巻掛け、手前プーリに巻掛けたベルトを奥側プーリにシフトさせる方法が採られている。ベルトを一度に奥側プーリに巻掛けずに、手前プーリを経由する理由としては、手前プーリが、奥側プーリと基軸プーリを結ぶベルトの走行線からオフセットされた位置にあり(図１参照)、このオフセットが大きくなると、ベルトの装着過程での取付け作業が容易ではないことが挙げられる。また、このようにオフセットが大きい場合、一度にベルトを奥側プーリに巻掛けると、過度にベルトを伸張させて大きな負荷をかけることになり、ベルトに永久歪を発生させてしまうことも、ベルトを一度に奥側プーリに巻き掛けずに手前プーリを経由する理由の一つである。
【００１５】
このような理由から、二段掛プーリの奥側プーリにベルトを巻掛ける作業を容易にする手段として、ベルト取付治具を用いる。
【００１６】
しかし、上記特許文献に記載されたベルト取付治具の場合では、奥側プーリ外周面よりも外側に位置する案内面が、ベルト裏面と面接触が支配的、あるいはプーリ周方向に線接触が支配的、となって当接しながら（図１（ｂ）の面接触箇所参照）ベルトを奥側プーリにシフトさせるような設計となっているため、ベルト取付治具を使ってベルトを手前プーリ側から奥側プーリにシフトさせた際に、ベルト裏面にはベルト取付治具からの過度の突き上げ力が働くことになり、ベルトに永久歪を発生させてしまう虞がある。
【００１７】
そこで、本発明は、手前（小径部）プーリと奥側（大径部）プーリが軸方向に並設された複数段掛プーリと、基軸プーリとの間にベルトを巻き掛ける際に、基軸プーリと手前（小径部）プーリとの間に巻き掛けられたベルトを、手前プーリから奥側プーリにシフトさせる作業を容易にし、且つ、シフトさせる際に、ベルト裏面に対するベルト取付治具側からの突き上げ力を最小限に抑えることができる、ベルト取付治具を提供することを目的とする。
【課題を解決するための手段】
【００１８】
上記課題を解決するための発明の１つは、少なくとも手前プーリ及び奥側プーリを含む複数のプーリが当該プーリの中心軸方向に並設された複数段掛プーリと、基軸プーリとの間に、周長方向に伸縮可能なベルトを巻掛けるに際し、前記基軸プーリと前記手前プーリとの間に巻掛けられた前記ベルトを前記手前プーリから前記奥側プーリにシフトさせるために使用するベルト取付治具であって、
前記手前プーリの外周面に沿う形状をした本体部と、
前記本体部に設けられ、前記手前プーリの外周面と前記手前プーリに巻き掛けられた前記ベルトの裏面との間に入り込む、ベルトすくい受け面と、
前記本体部を前記手前プーリの外周面に沿わせた状態で、前記本体部において、前記奥側プーリの外周面よりも外側の高さ位置に設けられ、前記ベルトすくい受け面から導入される前記ベルトの裏面と線接触する、ベルト支持部と、
前記本体部を前記手前プーリの外周面に沿わせた状態で、前記手前プーリと前記奥側プーリとに跨る位置に、前記ベルト支持部から前記奥側プーリの外周面に向けて傾斜して設けられ、前記ベルト支持部からスライドされる前記ベルトの裏面と線接触する、ベルト案内部と、を備えていることを特徴としている。
【００１９】
上記構成によれば、基軸プーリと手前プーリとの間に巻掛けられたベルトを手前プーリから奥側プーリにシフトさせる際に、本体部を手前プーリの外周面に沿わせてベルト取付治具を設置して、複数段掛プーリを回転させることにより、ベルトすくい受け面を、手前プーリの外周面とベルトの裏面との間に入り込ませて、ベルトを持ち上げることができる。この際、ベルトを持ち上げた反動でベルトがベルトすくい受け面を強く押し付けることにより、ベルト取付治具が手前プーリに強く密着し、ベルト取付治具が手前プーリから外れたり、ずれたりすることを防ぐことができる。
更に複数段掛プーリを回転させることにより、ベルト支持部が、ベルトすくい受け面で持ち上げたベルトの裏面に線接触して、ベルトを奥側プーリの外周面よりも外側の高さ位置に支持することができる。この際、ベルト支持部は、ベルトの裏面に線接触していることから、ベルトに過度な張力を掛けないようにすることができる。
また、ベルト案内部が、手前プーリと奥側プーリとに跨る位置で、ベルト支持部から奥側プーリの外周面に向けて傾斜しており、しかも、ベルト支持部に支持されたベルトは、周方向に収縮の力が掛かっているため、更に複数段掛プーリを回転させることにより、ベルトを、ベルト支持部からベルト案内部の傾斜に線接触させながら奥側プーリの外周面にスライドさせることができる。この際、ベルト案内部が、奥側プーリの外周面に向けて傾斜されていることによって、奥側プーリの外周面にベルトを確実に巻き掛けることができる。また、ベルト案内部はベルトの裏面と線接触で当接するために、ベルトを最短経路でベルト支持部から奥側プーリへスライドさせながらスムーズに取付けることができ、ベルトに過度な張力が掛かったりすることなく、また永久歪が生じることを防いで取付けることが可能となる。
【００２０】
また、本発明は、上記ベルト取付治具において、
前記ベルトすくい受け面が、
前記本体部を前記手前プーリの外周面に沿わせた状態で、前記手前プーリの外周面と前記手前プーリに巻き掛けられた前記ベルトの裏面との間に入り込む方向に、テーパ形状をしていてもよい。
【００２１】
上記構成によれば、ベルトすくい受け面を、手前プーリの外周面とベルトの裏面との間にスムーズに入り込ませて、過度な負荷を掛けずにベルトを持ち上げることができる。
【００２２】
また、本発明は、上記ベルト取付治具において、
前記ベルト案内部は、内周面側に、前記奥側プーリの外周面と前記ベルト案内部の内周面とを係止する第１係止部が設けられていてもよい。
【００２３】
上記構成によれば、ベルト案内部の内周面に設けられた第１係止部を、奥側プーリの外周面に係止することができるため、ベルト取付治具を、複数段掛プーリを構成する奥側プーリの外周に対して確実に設置することができる。
【００２４】
また、本発明は、上記ベルト取付治具において、
前記本体部は、内周面側に、前記手前プーリの外周面と前記本体部の内周面とを係止する第２係止部が設けられていてもよい。
【００２５】
上記構成によれば、本体部の内周面に設けられた第２係止部を、手前プーリの外周面に係止することができるため、ベルト取付治具を、複数段掛プーリを構成する手前プーリの外周に対して確実に設置することができる。
【００２６】
また、本発明は、上記ベルト取付治具において、
前記本体部を前記手前プーリの外周面に沿わせた状態で、前記ベルトすくい受け面より前記奥側プーリ側の、前記奥側プーリの外周面上に、前記ベルトすくい受け面からスライドされる前記ベルトの裏面と接触する、ベルト整調部が設けられており、
前記ベルト整調部は、前記ベルト案内部よりも前記奥側プーリ側に張り出していてもよい。
【００２７】
上記構成によれば、ベルト整調部が、手前プーリから奥側プーリへの、ベルトのシフト動作が完了する直前まで、ベルトの裏面をベルト幅の広い範囲に亘って支持することができる。これにより、手前プーリから奥側プーリへの、ベルトのシフト動作完了直前において、ベルトの捩じれや横転を防止することができる。
【図面の簡単な説明】
【００２８】
【図１】二段掛プーリと基軸プーリとの間にベルトが巻き掛けられたレイアウトの説明図である。
【図２】本実施形態に係るベルト取付治具を異なる方向から見た斜視図である。
【図３】本実施形態に係るベルト取付治具の六面図である。
【図４】本実施形態で使用する二段掛プーリの説明図である。
【図５】本実施形態で説明する自動車エンジンの３軸レイアウトである。
【図６】本実施形態に係るベルト取付治具の使用方法の説明図である。
【図７】本実施形態に係るベルト取付治具の使用方法の説明図である。
【図８】本実施形態に係るベルト取付治具の使用方法の説明図である。
【図９】本実施形態に係るベルト取付治具の使用方法の説明図である。
【図１０】本実施形態に係るベルト取付治具の使用方法の説明図である。
【図１１】本実施形態に係るベルト取付治具の使用方法の説明図である。
【図１２】本実施形態に係るベルト取付治具の使用方法の説明図である。
【図１３】変形例に係るベルト取付治具の六面図である。
【図１４】その他の実施形態に係るベルト取付治具の六面図である。
【図１５】その他の実施形態に係るベルト取付治具の六面図である。
【発明を実施するための形態】
【００２９】
（実施形態）
以下、図面を参照しつつ、本願発明の実施形態を説明する。本実施形態に係るベルト取付治具９は、図５に示す、自動車エンジンの３軸レイアウト１に使用する。具体的には、手前プーリ２１及び奥側プーリ２２が中心軸方向に並設された、ウォーターポンプ用の二段掛プーリ２（複数段掛プーリ：図４参照）と、エアコン用の補機プーリ３（基軸プーリ）と、駆動用のクランクプーリ４（基軸プーリ）との間に、周長方向に伸縮可能なＶリブドベルト５を巻掛けるに際し、ベルト取付治具９は、補機プーリ３とクランクプーリ４と手前プーリ２１との間に巻掛けられたＶリブドベルト５を、手前プーリ２１から奥側プーリ２２にシフトさせるために使用する（図１０参照）。
【００３０】
図５に示されるように、ウォーターポンプ用の二段掛プーリ２、エアコン用の補機プーリ３、及び、エンジン等のクランク軸４１に連結されるクランクプーリ４は、それぞれ所定の軸間距離を隔てて回転自在に支持されている。また、手前プーリ２１は、奥側プーリ２２と補機プーリ３とクランクプーリ４とを結ぶＶリブドベルト５の走行線からズレた位置に配置されている（オフセットの位置）。そして、二段掛プーリ２の奥側プーリ２２と補機プーリ３とクランクプーリ４との間には、Ｖリブドベルト５が巻掛けられ、クランク軸４１の動力が、クランクプーリ４から、二段掛プーリ２の入力軸２３（ウォーターポンプ用）に伝動されるようになっている。本実施形態では、二段掛プーリ２、補機プーリ３、及び、クランクプーリ４の各軸間距離は変更不能に固定されており、また、Ｖリブドベルト５に対して張力を付与する所謂オートテンショナ（張力付与手段）は搭載していない。
【００３１】
（二段掛プーリ２の構成）
図４に示すように、二段掛プーリ２は、手前プーリ２１と手前プーリ２１よりも直径が大きい奥側プーリ２２とが中心軸方向に並設されて一体構造となったプーリである。これによると、中心軸を中心にして手前プーリ２１と奥側プーリ２２とが連動して回転可能となる。そして、二段掛プーリ２における手前プーリ２１及び奥側プーリ２２の外周面には、Ｖリブドベルト５の内周面に周長方向に複数形成されたリブと嵌合可能なプーリ溝２１ａ及びプーリ溝２２ａがそれぞれ形成されている。また、二段掛プーリ２は、手前プーリ２１のプーリ溝２１ａ及び奥側プーリ２２のプーリ溝２２ａを中心軸方向で挟む３つのプーリフランジ２ａ・２ｂ・２ｃを備えている。このプーリフランジ２ａは、図４の側面視で、プーリ溝２１ａより手前プーリ２１の径外方向へ若干、突出して形成されている。また、プーリフランジ２ｂ・２ｃは、図４の側面視で、プーリ溝２２ａより奥側プーリ２２の径外方向へ若干、突出して形成されている。また、二段掛プーリ２のボス部６には、ウォーターポンプ用の入力軸２３が挿入される。また、符号２ｄは、手前プーリ２１の側面を示し、符号２ｅは、奥側プーリ２２の側面を示す。
【００３２】
（Ｖリブドベルト５）
Ｖリブドベルト５は、その周長方向において若干伸縮可能な所謂低モジュラスベルトである。低モジュラスベルトは、心線にポリアミド繊維を用いることで、弾性率を比較的低くしたものであり、高弾性率のもの（所謂高モジュラスベルト）と比較して急激な張力低下が抑制される。本実施形態では、Ｖリブドベルト５は、補機プーリ３とクランクプーリ４と奥側プーリ２２との間のレイアウト周長よりもベルト周長を短くして、Ｖリブドベルト５に強い張力がかかるようにしている。
【００３３】
また、Ｖリブドベルト５の内周面（裏面）には、二段掛プーリ２における手前プーリ２１の外周面に形成されたプーリ溝２１ａ、及び、奥側プーリ２２の外周面に形成されたプーリ溝２２ａに嵌合可能な、複数のリブが、周長方向に形成されている。
【００３４】
なお、図５の太線矢印ＶはＶリブドベルト５の走行方向を示し、この走行方向にＶリブドベルト５が走行するときの二段掛プーリ２の回転方向を回転方向Ａと定義する。
【００３５】
（ベルト取付治具９）
次に、図２及び図３を参照しつつ、本実施形態に係るベルト取付治具９の構成を説明する。
【００３６】
図２及び図３に示すように、ベルト取付治具９は、手前プーリ２１の外周面（プーリ溝２１ａの表面）に沿う円弧形状をした本体部９１と、本体部９１の前方に設けられたベルトすくい受け面９２と、本体部９１の外周面９１ａに設けられたベルト支持部９３と、本体部９１を手前プーリ２１の外周面に沿わせた状態で、手前プーリ２１と奥側プーリ２２との間に設けられたプーリフランジ２ｂを跨る位置に、ベルト支持部９３から奥側プーリ２２の外周面（プーリ溝２２ａの表面）に向けて傾斜して設けられたベルト案内部９４と、本体部９１の後方に設けられた手前プーリ支持部９５と、本体部９１を手前プーリ２１の外周面に沿わせた状態で、本体部９１の側面から奥側プーリ２２側に張り出した奥側プーリ支持部９６とを備えた構成をしている。
【００３７】
本体部９１（ベルトすくい受け面９２及び手前プーリ支持部９５含む）は、手前プーリ２１の外周面に沿うように湾曲形状をしている。本体部９１及びベルトすくい受け面９２の内周面側には、手前プーリ２１の外周面に形成されたプーリ溝２１ａに嵌合するリブ部９７（第２係止部）が形成されている。
【００３８】
なお、本実施形態では、図２（ａ）に示すように、本体部９１の外周面９１ａは、手前プーリ２１の外周面に沿った円弧形状をしているが、平面形状をしていてもよい。
【００３９】
リブ部９７は、図２（ｂ）に示すように、本体部９１の内周面及びベルトすくい受け面９２の内周面を長手方向に沿った６つの凸状のリブにより構成されている。ベルト取付治具９が二段掛プーリ２に取り付けられた時に、リブ部９７が手前プーリ２１のプーリ溝２１ａに嵌合することにより、ベルト取付治具９を、手前プーリ２１の外周に正確に固定することができる。なお、本実施形態では、手前プーリ２１のプーリ溝２１ａの数に合わせて６つのリブによりリブ部９７を構成しているが、リブ部９７を構成するには少なくとも１つの凸状のリブがあればよいので、リブ部９７は、手前プーリ２１に形成されたプーリ溝２１ａの数より少ない数のリブにより構成してもよい。
【００４０】
ベルトすくい受け面９２は、図２及び図３に示すように、前方に向けてテーパ形状をしている。即ち、ベルトすくい受け面９２は、本体部９１を手前プーリ２１の外周面に沿わせた状態で、二段掛プーリ２が回転方向Ａに回転されたときに、手前プーリ２１の外周面と手前プーリ２１に巻き掛けられたＶリブドベルト５の裏面との間に入り込む方向に向けて、厚みが薄くなっている。なお、ベルトすくい受け面９２のテーパ角度は、二段掛プーリ２の大きさ、Ｖリブドベルト５の張力、奥側プーリ２２の外径サイズなどによって、決定されるため、特に限定されない。
【００４１】
ベルト支持部９３は、図２及び図３に示すように、長方体形状をしており、ベルト支持部９３の前方に、ベルトすくい受け面９２から導入されるＶリブドベルト５の裏面と線接触するベルト支持線９３ａが幅方向に形成されている。即ち、ベルト支持線９３ａは、二段掛プーリ２の中心軸方向に対して平行に形成されている。なお、ベルト支持線９３ａは、二段掛プーリ２の中心軸方向に対して必ずしも平行でなくてもよく、傾斜していてもよい。
【００４２】
ここで、ベルト支持部９３のベルト支持線９３ａは、本体部９１を手前プーリ２１の外周面に沿わせた状態で、本体部９１の外周面において、奥側プーリ２２の外周面及びプーリフランジ２ｂよりも僅かに外側(手前プーリ２１の径方向外側)の高さ位置に形成されている。
【００４３】
なお、本実施形態では、図２（ａ）に示すように、ベルト支持部９３の上面９３ｂは、平面形状をしているが、手前プーリ２１の外周面に沿った円弧形状をしていてもよい。
【００４４】
ベルト案内部９４は、本体部９１を手前プーリ２１の外周面に沿わせた状態で、ベルト支持部９３の側面から奥側プーリ２２側に、プーリフランジ２ｂを跨るように、奥側プーリ２２の幅方向の中央あたりまで張り出している。また、図３に示すように、ベルト取付治具９正面視で、ベルト案内部９４の上面９４ｂは、ベルト支持部９３（ベルト支持線９３ａ）から奥側プーリ２２の外周面（プーリ溝２２ａの表面）に向けて傾斜している。また、ベルト取付治具９上面視で、ベルト案内部９４は、台形形状をしており、ベルト案内部９４の前方から後方にかけて幅広くなる傾斜がつけられている。そして、ベルト案内部９４の前方に、ベルト支持線９３ａからスライドされるＶリブドベルト５の裏面と線接触するベルト案内線９４ａ（ベルト案内部９４の前方から後方にかけて幅広くなる傾斜部分）が形成されている。
【００４５】
なお、本実施形態では、図２（ａ）に示すように、ベルト案内部９４の上面９４ｂは、平面形状をしているが、前後方向に沿った円弧形状をしていてもよい。
【００４６】
また、ベルト案内部９４の内周面側には、奥側プーリ２２の外周面に形成されたプーリ溝２２ａに嵌合するリブ部９８（第１係止部）が形成されている。リブ部９８は、図２（ｂ）に示すように、ベルト案内部９４の内周面を長手方向に沿った２つの凸状のリブにより構成されている。ベルト取付治具９が二段掛プーリ２に取り付けられた時に、リブ部９８が奥側プーリ２２のプーリ溝２２ａに嵌合することにより、ベルト取付治具９を、奥側プーリ２２の外周に正確に固定することができる。なお、リブ部９８をベルト案内部９４の内周面に形成する場合には、少なくとも１つの凸状のリブがあればよい。
【００４７】
リブ部９８は、２つの凸状のリブにより構成されていることから、奥側プーリ２２の外周面に形成されたプーリ溝２２ａの複数の溝の何れか１つの溝に嵌合することができる。従って、いろいろな大きさ（幅）・形状・溝の個数のプーリ溝２２ａを有する奥側プーリ２２に対して、当該ベルト取付治具９を共通に使用することができる。
【００４８】
手前プーリ支持部９５は、本体部９１の後方に設けられており、手前プーリ２１の外周面に沿うように湾曲形状をしている。手前プーリ支持部９５の内周面には、リブ部は設けられていない。なお、手前プーリ支持部９５の厚みは、薄いほど良く、ベルトすくい受け面９２の最大厚みＢ（図２（ｃ）参照）よりも薄い方が好ましい。ベルト取付治具９が二段掛プーリ２に取り付けられた時に、手前プーリ支持部９５の内周面が手前プーリ２１の外周面に当接することにより、ベルト取付治具９を、手前プーリ２１の外周に安定して固定することができる。
【００４９】
奥側プーリ支持部９６は、本体部９１を手前プーリ２１の外周面に沿わせた状態で、本体部９１及びベルトすくい受け面９２の側面から奥側プーリ２２側に、プーリフランジ２ｂを跨るように張り出している。奥側プーリ支持部９６の内周面には、プーリフランジ２ｂと奥側プーリ支持部９６との接触を避けるための溝部９６ａ（図２（ｂ）参照）が形成されている。溝部９６ａの溝幅は、プーリフランジ２ｂの幅よりも広くしている。
【００５０】
また、奥側プーリ支持部９６には、ベルトすくい受け面９２の側面から奥側プーリ２２側に張り出した、ベルト整調部９６ｂが設けられている。このベルト整調部９６ｂは、本体部９１を手前プーリ２１の外周面に沿わせた状態で、ベルトすくい受け面９２より奥側プーリ２２側の、奥側プーリ２２の外周面上に位置するように設けられている。ベルト整調部９６ｂは、手前プーリ２１に巻掛けられたＶリブドベルト５を、ベルト取付治具９を使用して奥側プーリ２２にシフトさせる際に、ベルトすくい受け面９２からスライドされるＶリブドベルト５の裏面と接触する。また、図３及び図１２に示すように、このベルト整調部９６ｂは、ベルト案内部９４よりも奥側プーリ２２側に張り出している。
【００５１】
（ベルト取付治具９の使用方法）
次に、図５〜図１２を参照しつつ、上記のベルト取付治具９の使用方法を説明する。具体的には、先ず、補機プーリ３とクランクプーリ４と二段掛プーリ２の手前プーリ２１との間に、Ｖリブドベルト５を巻掛ける手順（ａ）について説明した後、手前プーリ２１に巻掛けられたＶリブドベルト５を、ベルト取付治具９を使用して奥側プーリ２２にシフトさせる手順（ｂ）について説明する。
【００５２】
なお、図示しないが、二段掛プーリ２のボス部６にレンチを連結し、二段掛プーリ２を手動で自由に回転できるようにしている。
【００５３】
（手順（ａ））
先ず、図５に示すように、作業者は、Ｖリブドベルト５を補機プーリ３とクランクプーリ４と手前プーリ２１との間に巻き掛ける。この際、補機プーリ３とクランクプーリ４と手前プーリ２１との間のレイアウト周長は、補機プーリ３とクランクプーリ４と奥側プーリ２２との間のレイアウト周長よりも短いため、作業者は、比較的簡単に、Ｖリブドベルト５を補機プーリ３とクランクプーリ４と手前プーリ２１との間に巻き掛けることができる。
【００５４】
なお、本実施形態では、作業者の手で、Ｖリブドベルト５を補機プーリ３とクランクプーリ４と手前プーリ２１との間に巻き掛ける場合について説明しているが、これに限らず、補機プーリ３とクランクプーリ４と手前プーリ２１との間にＶリブドベルト５を巻掛ける際に、一般的な一段掛けプーリ間におけるＶリブドベルト５の巻掛けに使用されるベルト取付治具を使用してもよい（例えば、特開２０１１−２０８７５３号公報に開示されたベルト取付治具）。
【００５５】
（手順（ｂ））
次に、上記手順（ａ）により、補機プーリ３とクランクプーリ４と手前プーリ２１との間に巻掛けられたＶリブドベルト５を、ベルト取付治具９を使用して、手前プーリ２１から奥側プーリ２２にシフトさせる手順について説明する。
【００５６】
まず、ベルト取付治具９を、本体部９１が手前プーリ２１の外周面に沿うように設置する（図４参照）。その際、本体部９１の内周面側には、リブ部９７が設けられており、ベルト案内部９４の内周面側にも、リブ部９８が設けられていることから、ベルト取付治具９を、手前プーリ２１の外周面、及び、奥側プーリ２２の外周面に対して確実に設置することができる。
【００５７】
次に、レンチを用いて二段掛プーリ２を回転方向Ａに回転させる。この際、図５に示すように、ベルト取付治具９のベルトすくい受け面９２が、手前プーリ２１とＶリブドベルト５との間に差し込まれる。更に、二段掛プーリ２が回転方向Ａに回転すると、Ｖリブドベルト５が持ち上げられる。この際、Ｖリブドベルト５が持ち上げられた反動で、Ｖリブドベルト５がベルトすくい受け面９２を強く押し付けられることにより、ベルト取付治具９が手前プーリ２１に強く密着する。これにより、ベルト取付治具９が手前プーリ２１から外れたり、ずれたりすることを防ぐことができる。
【００５８】
また、ベルトすくい受け面９２は、本体部９１を手前プーリ２１の外周面に沿わせた状態で、手前プーリ２１の外周面と手前プーリ２１に巻き掛けられたＶリブドベルト５の裏面との間に入り込む方向に、テーパ形状をしていることから、ベルトすくい受け面９２を、手前プーリ２１の外周面とＶリブドベルト５の裏面との間にスムーズに入り込ませて、過度な負荷を掛けずにＶリブドベルト５を持ち上げることができる。
【００５９】
更に、二段掛プーリ２を回転方向Ａに回転させると、図６に示すように、Ｖリブドベルト５の裏面が、ベルトすくい受け面９２に次いで、ベルト支持部９３のベルト支持線９３ａにも当接する。これにより、ベルト支持部９３のベルト支持線９３ａが、ベルトすくい受け面９２で持ち上げたＶリブドベルト５の裏面に線接触して、Ｖリブドベルト５を、奥側プーリ２２の外周面及びプーリフランジ２ｂよりも外側(手前プーリ２１の径方向外側)の高さ位置に支持することができる。この際、Ｖリブドベルト５とベルト支持部９３とは、線接触していることから、Ｖリブドベルト５に過度な張力を掛けないようにすることができる。
【００６０】
更に、二段掛プーリ２を回転方向Ａに回転させると、図７に示すように、Ｖリブドベルト５の裏面が、ベルト支持線９３ａに次いで、ベルト案内部９４のベルト案内線９４ａにも当接する。ここで、ベルト案内部９４のベルト案内線９４ａが、手前プーリ２１と奥側プーリ２２とに跨る位置で、ベルト支持線９３ａから奥側プーリ２２の外周面に向けて傾斜しており、しかも、ベルト支持線９３ａに支持されたＶリブドベルト５は、ベルト周方向に収縮の力が掛かっているため、Ｖリブドベルト５の裏面が、ベルト案内線９４ａに当接すると同時に、図１１に示すように、Ｖリブドベルト５は、傾斜したベルト案内線９４ａに線接触しながら奥側プーリ２２側にスライドし始める。
【００６１】
更に、二段掛プーリ２を回転方向Ａに回転させると、図８に示すように、Ｖリブドベルト５の裏面が全幅に亘って、ベルト案内線９４ａに当接する。その際、ベルト案内部９４の後方側に移動したＶリブドベルト５は、奥側プーリ２２の外周面に案内される。このように、ベルト案内部９４が、奥側プーリ２２の外周面に向けて傾斜されていることによって、奥側プーリ２２の外周面にＶリブドベルト５を確実に巻き掛けることができる。また、ベルト案内部９４のベルト案内線９４ａがＶリブドベルト５の裏面と線接触で当接するために、Ｖリブドベルト５を最短経路でベルト支持部９３から奥側プーリ２２へスライドさせながらスムーズに取付けることができ、Ｖリブドベルト５に過度な張力が掛かったりすることなく、また永久歪が生じることを防いで取付けることができる。
【００６２】
更に、二段掛プーリ２を、回転方向Ａに回転させる。すると、図９に示すように、手前プーリ２１の外周面上のＶリブドベルト５が、手前プーリ２１の外周面を離れて奥側プーリ２２の外周面へと移動していく。
【００６３】
この際、図１２に示すように、奥側プーリ支持部９６のベルト整調部９６ｂが、ベルトすくい受け面９２の側面から、ベルト案内部９４よりも奥側プーリ２２側に張り出していることにより、Ｖリブドベルト５の裏面がベルトすくい受け面９２からベルト整調部９６ｂに当接した状態でスライドするため、Ｖリブドベルト５の、奥側プーリ２２の外周面へのシフト動作をスムーズに行うことができる。ベルト取付治具９を使用して、Ｖリブドベルト５を、手前プーリ２１から奥側プーリ２２にシフトさせる場合、Ｖリブドベルト５の、奥側プーリ２２の外周面へのシフト動作が完了する直前の段階で、Ｖリブドベルト５が奥側プーリ２２の外周面へ勢いよく滑り込む。この時、Ｖリブドベルト５が奥側プーリ２２の外周面に大きく落ち込む挙動を見せようとする。この挙動はＶリブドベルト５の捩じれや横転に繋がる原因となる。そこで、ベルト取付治具９にベルト整調部９６ｂを設けることにより、図１２に示すように、ベルト整調部９６ｂが、Ｖリブドベルト５のシフト動作が完了する直前まで、Ｖリブドベルト５の裏面をベルト幅の広い範囲に亘って支持する役割を果たす。これにより、Ｖリブドベルト５の手前プーリ２１から奥側プーリ２２へのシフト動作完了直前において、Ｖリブドベルト５の捩じれや横転を防止することができる。
【００６４】
以上の結果、図１０に示すように、手前プーリ２１に巻掛けられたＶリブドベルト５を奥側プーリ２２に完全にシフトさせることができる。この際、Ｖリブドベルト５のベルトすくい受け面９２に対する押圧が自然と解除されることから、ベルト取付治具９を二段掛プーリ２から回収することができる。
【００６５】
上記手順によりベルト取付治具９を使用すれば、補機プーリ３とクランクプーリ４と二段掛プーリ２の手前プーリ２１との間に巻き掛けられたＶリブドベルト５を、手前プーリ２１から奥側プーリ２２にシフトさせる作業を容易にし、且つ、シフトさせる際に、Ｖリブドベルト５の裏面に対するベルト取付治具９側からの突き上げ力を最小限に抑えることができる。
【００６６】
（その他の実施形態・変形例など）
図１３に示すように、ベルト取付治具１０９は、本体部１９１の内周面や手前プーリ支持部１９５の内周面に肉抜き加工をしてもよい。これにより、ベルト取付治具１０９の軽量化を図ることができる。また、図１３に示すように、手前プーリ支持部１９５の肉抜き加工した場所に、紐等を通す、２つの穴１９５ａを設けても良い。この２つの穴１９５ａに紐を通し、通した紐をレンチ等に結びつけることにより、Ｖリブドベルト５の二段掛プーリ２への巻き掛け作業において、ベルト取付治具１０９がレンチから落下するのを防止することができる。
【００６７】
また、上記実施形態では、図３に示すように、ベルト案内部９４は、ベルト取付治具９上面視で、台形形状をしており、ベルト案内部９４の前方から後方にかけて幅広くなる傾斜（ベルト案内線９４ａ部分）がつけられている。しかし、これに限らず、図１４に示すように、ベルト案内部２９４は、ベルト取付治具２０９上面視で、台形形状をしており、ベルト案内部２９４の後方から前方にかけて幅広くなる傾斜がついた形状をしていてもよい。また、図１５に示すように、ベルト取付治具３０９上面視で、ベルト案内部３９４は、台形形状をしており、ベルト案内部３９４の前方から後方にかけて幅広くなる傾斜（ベルト案内線３９４ａ部分）、及び、ベルト案内部３９４の後方から前方にかけて幅広くなる傾斜がついた形状をしていてもよい。
【００６８】
また、上記実施形態のベルト取付治具９は、Ｖリブドベルト５を二段掛プーリ２に巻き掛ける際に使用しているが、三段掛プーリ等、複数のプーリが中心軸方向に並設された複数段掛プーリにも使用可能である。
【００６９】
また、ベルト支持部９３の高さＡ（図２（ｃ）参照）は、ベルト取付治具９の二段掛プーリ２への設置時、奥側プーリ２２の外周面及びプーリフランジ２ｂよりも外側の高さ位置にあればよい。従って、ベルト支持部９３の高さＡを低くすればするほどベルト支持線９３ａの高さが低くなるため、Ｖリブドベルト５が過度に持ち上げられることがなく、且つ、ベルト案内線９４ａの、ベルト支持部９３（ベルト支持線９３ａ）から奥側プーリ２２の外周面（プーリ溝２２ａの表面）に向けての傾斜角度も緩やかになるため、Ｖリブドベルト５のシフト中の捩じれ姿勢を抑制することができる。
【００７０】
また、上記実施形態では、本体部９１及びベルトすくい受け面９２の内周面側には、リブ部９７が形成されているが、このリブ部９７は形成されていなくてもよい。また、上記実施形態では、ベルト案内部９４の内周面側には、リブ部９８が形成されているが、このリブ部９８は形成されていなくてもよい。
【００７１】
また、上記実施形態のベルト取付治具９では、本体部９１の後方に、手前プーリ支持部９５を設けているが、設けなくてもよい。
【００７２】
以上、本発明の実施形態について説明したが、本発明は上述の実施の形態に限られるものではなく、特許請求の範囲に記載した限りにおいて様々に変更して実施することができるものである。
【符号の説明】
【００７３】
１  ３軸レイアウト
２  二段掛プーリ
２１  手前プーリ
２１ａ  プーリ溝
２２  奥側プーリ
２２ａ  プーリ溝
３  補機プーリ
４  クランクプーリ
５  Ｖリブドベルト
６  ボス部
９  ベルト取付治具
９１  本体部
９２  ベルトすくい受け面
９３  ベルト支持部
９３ａ  ベルト支持線
９４  ベルト案内部
９４ａ  ベルト案内線
９５  手前プーリ支持部
９６  奥側プーリ支持部
９６ｂ  ベルト整調部
９７  リブ部
９８  リブ部
Ａ  回転方向
【図１】
2020197301.tif 000003
【図２】
2020197301.tif 000004
【図３】
2020197301.tif 000005
【図４】
2020197301.tif 000006
【図５】
2020197301.tif 000007
【図６】
2020197301.tif 000008
【図７】
2020197301.tif 000009
【図８】
2020197301.tif 000010
【図９】
2020197301.tif 000011
【図１０】
2020197301.tif 000012
【図１１】
2020197301.tif 000013
【図１２】
2020197301.tif 000014
【図１３】
2020197301.tif 000015
【図１４】
2020197301.tif 000016
【図１５】
2020197301.tif 000017